(57)【要約】【課題】  指の位置を移動させることでクリック又はダブルクリックと同様の処理を簡易・迅速に実現できるマウスを提供する。【解決手段】  左ボタンシングルクリック用の光センサ１６と、左ボタンダブルクリック用の光センサ１７と、右ボタンシングルクリック用の光センサ１８とを設け、当該光センサの上に指が置かれた場合に、そのことを光検出部１９で検出し、制御部１１が対応するクリック信号をコンピュータに出力するマウスであり、ボタンを押さなくても素早くクリック等の動作と同様の処理を実現できる。また、光センサを誤動作させないために指の位置を固定する固定溝３が設けられている。【選択図】        図２
2006259796.tif 000002
【特許請求の範囲】
【請求項１】
コンピュータの入力装置であるマウスであって、
内部から光を照射し、反射光によって指が置かれたことを検出する第１の光センサと、当該第１の光センサからの検出信号が入力されると、左ボタンのダブルクリック処理の信号をコンピュータに出力する制御手段とを設けたことを特徴とするマウス。
【請求項２】
内部から光を照射し、反射光によって指が置かれたことを検出する第２の光センサを設け、
制御手段は、当該第２の光センサからの検出信号が入力されると、左ボタンのシングルクリック処理の信号をコンピュータに出力することを特徴とする請求項１記載のマウス。
【請求項３】
内部から光を照射し、反射光によって指が置かれたことを検出する第３の光センサを設け、
制御手段は、当該第３の光センサからの検出信号が入力されると、右ボタンのシングルクリック処理の信号をコンピュータに出力することを特徴とする請求項１又は２記載のマウス。
【請求項４】
指の腹の凸形状に対応して凹形状の指固定溝を設けたことを特徴とする請求項１乃至３のいずれか記載のマウス。
【請求項５】
光センサは、凹形状の凹部内に設けられ、指を乗せる部分を隆起状の隆起部としたことを特徴とする請求項１乃至３記載のいずれか記載のマウス。
【請求項６】
制御手段は、光センサに指が置かれたら特定時間カウントし、指が置かれた状態が特定時間継続した場合に、クリック処理の信号をコンピュータに出力することを特徴とする請求項１乃至５のいずれか記載のマウス。
【請求項７】
光センサのオン・オフを設定するスイッチを設けたことを特徴とする請求項１乃至６のいずれか記載のマウス。
【請求項８】
制御手段は、マウス本体が移動中に光センサからの検出信号が入力されてもクリック処理の信号をコンピュータに出力せず、マウス本体が停止したときに光センサからの検出信号が入力されると、クリック処理の信号をコンピュータに出力することを特徴とする請求項１乃至７のいずれか記載のマウス。
【請求項９】
マウス本体が移動中に光センサからの検出信号が入力されてもクリック処理の信号をコンピュータに出力しないか、又は、マウス本体が移動中であっても光センサからの検出信号が入力されるとクリック処理の信号をコンピュータに出力するか、のいずれかを選択する設定スイッチを設けたことを特徴とする請求項８記載のマウス。
【発明の詳細な説明】
【技術分野】
【０００１】
本発明は、コンピュータの入力装置のマウスに係り、特に、クリック操作の代わりに指の位置を移動させることでクリック信号をコンピュータに出力できるマウスに関する。
【背景技術】
【０００２】
コンピュータの入力装置としてのマウスには、機械式マウスと光学式マウスがある。
機械式マウスは、マウスを動かすと底部に設けられたボールが回転し、当該ボールの横方向と縦方向の回転量、回転方向を測定して、マウスの縦横の移動量、移動方向の情報が得られ、それら情報を制御部で相対座標データとしてコンピュータに出力するものである。
【０００３】
また、光学式マウスは、光学センサによってマウスパッド上の模様や凹凸を毎秒数千回の速度で読み取り、マウスの移動方向及び移動量を検出し、座標データをコンピュータに出力するものである。
【０００４】
機械式マウス及び光学式マウスの何れであっても、一般的には、右ボタン、左ボタン、ホイールを備え、左ボタンについてはシングルクリック又はダブルクリックを行い、右ボタンについてはシングルクリックを行うようになっていた。
【０００５】
上記一般的なマウスであると、コンピュータに不慣れな人にとっては、特に、ダブルクリックの操作を行うことが難しく、ダブルクリックの操作を行わないで、ダブルクリックを行ったのと同じ処理を実行するマウスも開発されている。
【０００６】
例えば、平成８（１９９６）年３月８日公開の特開平８−６３２８４号公報「ポインティングデバイス」には、１回の押下によりダブルクリック信号の出力を指示するクリック補助キーが設けられたポインティングデバイスが記載されている（特許文献１）。
【０００７】
また、平成５（１９９３）年２月５日公開の特開平５−２７９０３号公報「情報処理装置」には、ダブルクリックの操作は２つのボタンを同時に押下することで簡単に間違いなくできるマウスが記載されている（特許文献２）。
【０００８】
【特許文献１】特開平８−６３２８４号公報
【特許文献２】特開平５−２７９０３号公報
【発明の開示】
【発明が解決しようとする課題】
【０００９】
しかしながら、上記従来のマウス等では、ダブルクリックの操作の代わりに補助キーの押下又は２つのボタンの同時押下等があるものの、コンピュータに不慣れな初心者には、画面を見ながらカーソルをマウスにより移動させ、その後マウスを見てボタンクリックを行うため、カーソル位置がずれて正しい位置でのクリックができないという問題点があった。
【００１０】
また、逆に、コンピュータに慣れた人にとって、クリック操作より高速にクリック処理を行うことが可能なマウスが切望されていた。
【００１１】
本発明は上記実情に鑑みて為されたもので、指の位置を移動させることでクリック又はダブルクリックと同様の処理を簡易・迅速に実現できるマウスを提供することを目的とする。
【課題を解決するための手段】
【００１２】
上記従来例の問題点を解決するための本発明は、コンピュータの入力装置であるマウスであって、内部から光を照射し、反射光によって指が置かれたことを検出する第１の光センサと、当該第１の光センサからの検出信号が入力されると、左ボタンのダブルクリック処理の信号をコンピュータに出力する制御手段とを設けたことを特徴とする。
【００１３】
本発明は、上記マウスにおいて、内部から光を照射し、反射光によって指が置かれたことを検出する第２の光センサを設け、制御手段が、当該第２の光センサからの検出信号が入力されると、左ボタンのシングルクリック処理の信号をコンピュータに出力することを特徴とする。
【００１４】
本発明は、上記マウスにおいて、内部から光を照射し、反射光によって指が置かれたことを検出する第３の光センサを設け、制御手段が、当該第３の光センサからの検出信号が入力されると、右ボタンのシングルクリック処理の信号をコンピュータに出力することを特徴とする。
【００１５】
本発明は、上記マウスにおいて、指の腹の凸形状に対応して凹形状の指固定溝を設けたことを特徴とする。
【００１６】
本発明は、上記マウスにおいて、光センサが、凹形状の凹部内に設けられ、指を乗せる部分を隆起状の隆起部としたことを特徴とする。
【００１７】
本発明は、上記マウスにおいて、制御手段が、光センサに指が置かれたら特定時間カウントし、指が置かれた状態が特定時間継続した場合に、クリック処理の信号をコンピュータに出力することを特徴とする。
【００１８】
本発明は、上記光センサにおいて、光センサのオン・オフを設定するスイッチを設けたことを特徴とする。
【００１９】
本発明は、上記マウスにおいて、制御手段が、マウス本体が移動中に光センサからの検出信号が入力されてもクリック処理の信号をコンピュータに出力せず、マウス本体が停止したときに光センサからの検出信号が入力されると、クリック処理の信号をコンピュータに出力することを特徴とする。
【００２０】
本発明は、上記マウスにおいて、マウス本体が移動中に光センサからの検出信号が入力されてもクリック処理の信号をコンピュータに出力しないか、又は、マウス本体が移動中であっても光センサからの検出信号が入力されるとクリック処理の信号をコンピュータに出力するか、のいずれかを選択する設定スイッチを設けたことを特徴とする。
【発明の効果】
【００２１】
本発明によれば、コンピュータの入力装置であるマウスであって、内部から光を照射し、反射光によって指が置かれたことを検出する第１の光センサと、当該第１の光センサからの検出信号が入力されると、左ボタンのダブルクリック処理の信号をコンピュータに出力する制御手段とを設けたマウスとしているので、ボタンのダブルクリック操作をすることなく、左ボタンのダブルクリック処理の信号を出力でき、マウス操作を簡易・迅速に行うことができる効果がある。
【００２２】
本発明によれば、内部から光を照射し、反射光によって指が置かれたことを検出する第２の光センサを設け、制御手段が、当該第２の光センサからの検出信号が入力されると、左ボタンのシングルクリック処理の信号をコンピュータに出力する上記マウスとしているので、ボタンのシングルクリック操作をすることなく、左ボタンのシングルクリック処理の信号を出力でき、マウス操作を簡易・迅速に行うことができる効果がある。
【００２３】
本発明によれば、内部から光を照射し、反射光によって指が置かれたことを検出する第３の光センサを設け、制御手段が、当該第３の光センサからの検出信号が入力されると、右ボタンのシングルクリック処理の信号をコンピュータに出力する上記マウスとしているので、ボタンのシングルクリック操作をすることなく、右ボタンのシングルクリック処理の信号を出力でき、マウス操作を簡易・迅速に行うことができる効果がある。
【００２４】
本発明によれば、指の腹の凸形状に対応して凹形状の指固定溝を設けた上記マウスとしているので、指を固定溝に置くことで、不用意に指が動いて光センサが誤動作することを少なくできる効果がある。
【００２５】
本発明によれば、光センサが、凹形状の凹部内に設けられ、指を乗せる部分を隆起状の隆起部とした上記マウスとしているので、隆起部に指を乗せることで指への負担を軽減でき、凹部に指を置くことで確実に光センサで指を検出できる効果がある。
【００２６】
本発明によれば、制御手段が、光センサに指が置かれたら特定時間カウントし、指が置かれた状態が特定時間継続した場合に、クリック処理の信号をコンピュータに出力する上記マウスとしているので、一時的に指が光センサの上を横切っても、光センサの誤動作を防止できる効果がある。
【００２７】
本発明によれば、光センサのオン・オフを設定するスイッチを設けた上記マウスとしているので、ユーザは好みに応じて利用したい光センサを選択して動作可能とすることができ、ユーザの利便性を向上させることができる効果がある。
【００２８】
本発明によれば、制御手段が、マウス本体が移動中に光センサからの検出信号が入力されてもクリック処理の信号をコンピュータに出力せず、マウス本体が停止したときに光センサからの検出信号が入力されると、クリック処理の信号をコンピュータに出力する上記マウスとしているので、光センサに指を乗せたままマウス本体を移動させ、マウス本体を停止したときにクリック処理の信号が出力されるようになるため、クリック処理を非常に簡単に行うことができる効果がある。
【００２９】
本発明によれば、マウス本体が移動中に光センサからの検出信号が入力されてもクリック処理の信号をコンピュータに出力しないか、又は、マウス本体が移動中であっても光センサからの検出信号が入力されるとクリック処理の信号をコンピュータに出力するか、のいずれかを選択する設定スイッチを設けた上記マウスとしているので、いずれの仕様を利用者が任意に選択でき、利用者への利便性を向上させることができる効果がある。
【発明を実施するための最良の形態】
【００３０】
本発明の実施の形態について図面を参照しながら説明する。
［実施の形態の概要］
本発明の実施の形態に係るマウスは、左ボタンシングルクリック用の光センサと、左ボタンダブルクリック用の光センサと、右ボタンシングルクリック用の光センサとを設け、当該光センサの上に指が置かれた場合（接触しなくてもよい）に、対応するクリック信号をコンピュータに出力するものであり、ボタンを押さなくても素早くクリック等の動作と同様の処理を実現できるものである。
【００３１】
また、本発明の実施の形態に係るマウスは、光センサを誤動作させないために指の位置を固定する固定溝が設けられている。特に、人差し指を固定する固定溝があることで、不必要に光りセンサの上を指が横切ることがなくなり、誤動作を防止できるものである。
【００３２】
また、本発明の実施の形態に係るマウスは、光センサに指が置かれ、その置かれた状態が特定時間継続した場合に、クリック信号を出力するよう設定できるので、不必要に光センサの上を指が横切っても、それが短時間であれば、誤動作を防止できるものである。
また、上記特定時間は、マウス操作者が任意に調整・設定できるようにしている。
【００３３】
また、本発明の実施の形態に係るマウスは、光センサに指が置かれた状態でマウスを移動させている状態では、マウスからクリック信号は出力されず、マウスが停止したときにクリック信号を出力するものであり、画面だけを見ながらクリック処理を実行でき、クリック処理を非常に容易にできるものである。
【００３４】
［第１のマウスの外観］
本発明の実施の形態に係るマウスについて図１〜図３を参照しながら説明する。図１は、本発明の実施の形態に係るマウスの使用外観図であり、図２は、本発明の実施の形態に係るマウスの概略上面図であり、図３は、図２をコード取り付け側から見た正面図である。特に、本発明の実施の形態に係るマウスを使用者が使用している状態を示しているのが、図１である。
【００３５】
本実施の形態のマウス（第１のマウス）は、図１、図２、図３に示すように、マウス本体１に、ホイール２と、右ボタン１３と、左ボタン１４と、第１の光センサ１６と、第２の光センサ１７と、第３の光センサ１８と、固定溝３とが設けられている。
【００３６】
［第１のマウスの各部］
第１のマウスの外観における各部を具体的に説明する。
マウス本体１、ホイール２、右ボタン（右ボタンスイッチ）１３、左ボタン（左ボタンスイッチ）１４は、一般的なマウスと同様のものである。
一般的なマウスと相違する点は、図１，図２に示すように、左ボタン１４に固定溝２が設けられ、それを挟んで第１の光センサ１６と第２の光センサ１７が設けられ、右ボタン１３に第３の光センサ１８が設けられている。
【００３７】
固定溝２は、左ボタン１４において、置かれる人差し指の形状に合わせって、図２では縦方向に凹状の溝が形成され、その固定溝に人差し指の腹部分を置くことができるようになっている。
この固定溝２があることによって、人差し指が誤って第１の光センサ１６又は第２の光センサ１７を覆うことがなくなり、誤動作を防止できるものである。
【００３８】
第１の光センサ１６は、マウス本体１０の内部からＬＥＤ（Light Emitting Diode：発光ダイオード）等の光を照射し、その反射光を受光することで光センサの上に指が置かれた（指がセンサに接触せず、覆い被さった状態も含む）か否かを判定する。第２、３の光センサ１７，１８も同様の構成で同様の動作をおこなうものである。
【００３９】
また、第１の光センサ１６は、その上に指が置かれた場合に、左ボタンをシングルクリックしたのと同様の信号が出力されるものである。具体的構成について後述する。
【００４０】
第２の光センサ１７は、その上に指が置かれた場合に、左ボタンをダブルクリックしたのと同様の信号が出力されるものである。
第３の光センサ１８は、その上に指が置かれた場合に、右ボタンをシングルクリックしたのと同様の信号が出力されるものである。
【００４１】
［第２の実施の形態］
本発明の第２の実施の形態に係るマウス（第２のマウス）について、図４を参照しながら説明する。図４は、本発明の第２の実施の形態に係るマウスの概略上面図である。
第２のマウスは、図４に示すように、左ボタン１３′と右ボタン１４′の面積を図２に比べて小さくしたものである。よって、図４において、左ボタン１３′と右ボタン１４′は上側に押し上げられ、広くなったマウス本体１の背面に、ホイール２、固定溝３、第１，２，３の光センサ１６，１７，１８が設けられている。
図４では、図２と比較して、左ボタン１３′と右ボタン１４′の面積を小さくしただけで、その他の各部の位置は変わっていない。
【００４２】
このように、図４において、左ボタン１３′と右ボタン１４′を上側に押し上げたのは、第１，２，３の光センサ１６，１７，１８で左右ボタンのクリック操作と同じことが実現できるため、左右ボタンの必要性が小さくなったからである。
そうなれば、左右ボタンを全くないマウスとすることも考えられる。そのマウスであれば、図２又は図４のマウスと比べて部品数を減らすことができ、低コストにできる効果がある。
【００４３】
［第１のマウスの内部構成］
次に、第１のマウスの内部構成について図５を参照して説明する。図５は、本発明の実施の形態に係るマウスの内部構成ブロック図である。
第１のマウスは、図５に示すように、制御部１１と、移動量検出部１２と、右ボタンスイッチ１３と、左ボタンスイッチ１４と、ボタン入力検出部１５と、第１の光センサ１６と、第２の光センサ１７と、第３の光センサ１８と、光検出部１９とから構成されている。
尚、制御部１１、移動量検出部１２、ボタン入力検出部１５、光検出部１９をまとめて制御手段と呼ぶこととする。
【００４４】
移動量検出部１２は、マウスの移動方向と移動量を検出するもので、機械式マウスでは、マウス底部のボールとその縦横方向の回転量、回転方向を測定する機構が相当し、光学式マウスでは、光学センサとその移動方向及び移動量を測定する機構が相当する。
【００４５】
右ボタンスイッチ１３と左ボタンスイッチ１４は、クリック動作を行うためのスイッチで、クリックされてスイッチがオンすると、その信号（クリック信号）がボタン入力検出１５に出力される。
【００４６】
ボタン入力検出部１５は、右ボタンスイッチ１３と左ボタンスイッチ１４からのクリック信号を入力し、右ボタンのシングルクリック、左ボタンのシングルクリック、左ボタンのダブルクリックを検出してクリックの種類の信号を制御部１１に出力する。
【００４７】
第１の光センサ１６と、第２の光センサ１７と、第３の光センサ１８は、これまで説明した通り、光センサ上部に指等が置かれると照射した光の反射光でそれを検出し、検出信号を光検出部１９に出力する。
【００４８】
光検出部１９は、第１の光センサ１６で指が置かれたことを検出した場合、左ボタンのシングルクリックとしてクリックの種類の信号を制御部１１に出力する。
光検出部１９は、第２の光センサ１７で指が置かれたことを検出した場合、左ボタンのダブルクリックとしてクリックの種類の信号を制御部１１に出力する。
光検出部１９は、第３の光センサ１８で指が置かれたことを検出した場合、右ボタンのシングルクリックとしてクリックの種類の信号を制御部１１に出力する。
光検出部１９における処理については後述する。
【００４９】
制御部１１は、移動量検出部１２からマウスの移動方向と移動量の信号を入力し、ボタン入力検出部１５から左右ボタンのクリックの種類を示す信号を入力し、更に、光検出部１９からもクリックの種類を示す信号を入力し、それら信号をコンピュータに出力する。
【００５０】
尚、第２のマウスの内部構成も図５に示したものと同様であり、更に、後述する第３のマウスの内部構成も図５に示したものと同様である。
【００５１】
［第１のマウスの光検出部での処理］
次に、第１のマウスの光検出部１９の処理について図６を参照しながら説明する。図６は、光検出部における処理を示すフローチャートである。
光検出部１９では、図６に示すように、処理が開始されると、第１〜３の光センサ１６〜１８からの信号を監視するようになっている（Ｓ１）。つまり、光センサで反射光が検出されたか否かを監視している。
【００５２】
そして、光センサで反射光が検出されると（Ｙｅｓの場合）、光検出部１９は、第１〜３の光センサ１６〜１８のいずれかで反射光が検出されたかを判定する（Ｓ２）。
【００５３】
第１の光センサ１６で反射光が検出されたのであれば、左ボタンのシングルクリック信号が制御部１１に出力され（Ｓ３）、第２の光センサ１７で反射光が検出されたのであれば、左ボタンのダブルクリック信号が制御部１１に出力され（Ｓ４）、第３の光センサ１８で反射光が検出されたのであれば、右ボタンのシングルクリック信号が制御部１１に出力される（Ｓ５）。
そして、監視処理Ｓ１に戻る。
【００５４】
［第３のマウスの外観］
次に、本発明の第３の実施の形態に係るマウス（第３のマウス）について図７及び図８を参照しながら説明する。図７は、第３のマウスの概略上面図であり、図８は、図７をコード取り付け側から見た正面図である。
第３のマウスは、第１の光センサ１６がマウス本体１の背面に形成された凹部１６ａ内に設けられ、第２の光センサ１７も凹部１７ａ内に設けられ、第３の光センサ１８も凹部１８ａ内に設けられ、更に第１の光センサ１６と第２の光センサ１７との間に人指し指を乗せる隆起部３′が設けられている。
尚、マウス本体１の側面には、後述する設定スイッチ４が設けられている。
【００５５】
第３のマウスでは、マウス本体１を移動させながら凹部に指を乗せたままとし、マウスの移動停止のときにクリック信号をコンピュータに対して出力し、その後、凹部から指を外すことでクリック処理が終了するようになっている。
【００５６】
尚、第３のマウスでは、凹部に指を置いたままでマウスを移動させるものであるから、右ボタン又は左ボタンの上に光センサを設けず、図４に示したように、右ボタン１３′と左ボタン１４′は、マウス本体１の先端側（図７上方）に設けるようにし、誤動作を防止できるようになっている。
【００５７】
［第３のマウスの制御部での処理］
次に、第３のマウスにおける制御部１１での処理について図９を参照しながら説明する。図９は、第３のマウスの制御部での処理を示すフローチャートである。
制御部１１では、図９に示すように、光検出部１９からクリック信号の入力あるかを検出し（Ｓ１１）、クリック信号の入力があると（Ｙｅｓの場合）、移動量検出部１２から移動量を検出する信号の入力あるかを検出し（Ｓ１２）、移動量を検出する信号の入力があれば（Ｙｅｓの場合）、判定処理Ｓ１１に戻る。
【００５８】
判定処理Ｓ１２で移動量を検出する信号の入力がなければ（Ｎｏの場合）、光検出部１９から出力されたクリック信号をコンピュータ本体に出力する（Ｓ１３）。
上記のような制御を行うことで、光センサに指を置いた状態であってもマウス本体１が移動している状態では、クリック信号は出力せず、マウス本体１が停止したときに光検出部１９からのクリック信号を出力するものであり、画面上のカーソルだけを確認するだけでクリック処理を非常に容易に行うことができる効果がある。
【００５９】
［応用例１］
第１，２，３のマウスでは、第１、２，３の光センサ１６，１７，１８を設けて、左ボタンのシングルクリック、左ボタンのダブルクリック、右ボタンのシングルクリックの信号を出力させる構成としたが、第１〜３の３つの光センサの内、１つだけを設けるようにしてもよいし、３つの光センサの内、任意の２つを選択して設けるようにしてもよい。
【００６０】
例えば、左ボタンのダブルクリックの信号を出力させる第２の光センサ１７のみをマウス本体１に設けるようにしてもよい。
また、第１の光センサ１６と第２の光センサ１７の２つをマウス本体１に設けるようにしてもよい。
【００６１】
［応用例２］
第１，２，３のマウスでは、第１、２，３の光センサ１６，１７，１８を図２、図４又は図７において、左から順に配置したが、その配列を変更してもよい。
具体的には、図２、図４又は図７において、左から順に、第２の光センサ１７、第１の光センサ１６、第３の光センサ１８のような順番で配列してもよい。
また、応用例２でも、応用例１を適用して、任意の配列の３つの光センサの内、任意の１つ又は任意の２つを選択して設けるようにしてもよい。
【００６２】
［応用例３］
マウス本体１の裏面若しくは側面に光センサの設定スイッチを設け、当該設定スイッチにより３つの光センサの内、動作のオン・オフを任意に設定できるようにする。
つまり、設定スイッチによって第２の光センサ１７のみを動作可能としたり、第１の光センサ１６と第２の光センサ１７とを動作可能とするものである。
【００６３】
［応用例４］
また、設定スイッチによって、図２、図４又は図７において配列されている３つの光センサの役割を任意の変更するようにしてもよい。
つまり、図２、図４又は図７において、左から順に、第１，２，３の光センサであるものを、設定スイッチによって、左から順に、第２，１，３の光センサの役割に変更できる。
【００６４】
［応用例５］
また、図７及び図８に示すように、マウス本体１の側面に設定スイッチ４を設け、当該設定スイッチによって、第３のマウスの処理動作を行わせるか、第１又は第２のマウスの処理動作を行わせるか、任意に設定可能とすることが考えられる。
【００６５】
［実施の形態の効果］
第１，２，３のマウスによれば、左右ボタンの他に光センサを設け、当該光センサで指が置かれたことを検出すると、クリック信号をコンピュータに出力するようにしているので、マウスのボタンを実際にクリックしなくてもクリックと同様の処理を実現でき、クリック処理を簡単かつ迅速に行うことができる効果がある。
【００６６】
特に、第３のマウスによれば、光センサに指を置いたままで、マウスが停止したときにクリック信号をコンピュータに出力するようにしているので、表示画面だけを見ながら操作ができ、クリック処理を非常に容易に実現できる効果がある。
【００６７】
第１，２，３のマウスによれば、ダブルクリック処理を実現する光センサを設け、当該光センサで指が置かれたことを検出すると、ダブルクリック信号をコンピュータに出力するようにしているので、マウスのボタンを実際にダブルクリックしなくてもダブルクリックと同様の処理を実現でき、ダブルクリック処理を簡単かつ迅速に行うことができる効果がある。
特に、第３のマウスの場合、ダブルクリック処理が非常に簡単に行うことができる。
【００６８】
また、第１，２，３のマウスによれば、マウス本体１の背面に指を固定させる固定溝３又は隆起部３′を設けるようにしたので、指に負担を掛けることが少なく、指が誤って光センサを覆うことも少なくなり、誤動作を防止できる効果がある。
【００６９】
また、第１，２，３のマウスによれば、光センサに指が置かれた状態が特定時間経過しなければ、光検出部１９でクリック信号を制御部１１に出力しないよう設定可能としているので、光センサをちょっと横切った程度では、誤動作しないという効果がある。
尚、上記特定時間は、マウス底面及び側面に設けたスイッチで変更設定可能とするものである。
【００７０】
また、第１、２，３のマウスによれば、マウスボタンをクリックしなくてもクリック処理を実現できるため、人指し指の腱鞘炎を防止できる効果がある。
【産業上の利用可能性】
【００７１】
本発明は、指の位置を移動させることでクリック又はダブルクリックと同様の動作を簡易・迅速に実現できるマウスに好適である。
【図面の簡単な説明】
【００７２】
【図１】本発明の実施の形態に係るマウスの使用外観図である。
【図２】本発明の実施の形態に係るマウスの概略上面図である。
【図３】図２をコード取り付け側から見た正面図である。
【図４】本発明の第２の実施の形態に係るマウスの概略上面図である。
【図５】本発明の実施の形態に係るマウスの内部構成ブロック図である。
【図６】光検出部における処理を示すフローチャートである。
【図７】第３のマウスの概略上面図である。
【図８】図７をコード取り付け側から見た正面図である。
【図９】第３のマウスの制御部での処理を示すフローチャートである。
【符号の説明】
【００７３】
１…マウス本体、  ２…ホイール、  ３…固定溝、  ３′…隆起部、  ４…設定スイッチ、  １１…制御部、  １２…移動量検出部、  １３，１３′…右ボタン（右ボタンスイッチ）、  １４，１４′…左ボタン（左ボタンスイッチ）、  １５…ボタン入力検出部、  １６…第１の光センサ、  １６ａ…凹部、  １７…第２の光センサ、  １７ａ…凹部、  １８…第３の光センサ、  １８ａ…凹部、  １９…光検出部
【図１】
2006259796.tif 000003
【図２】
2006259796.tif 000004
【図３】
2006259796.tif 000005
【図４】
2006259796.tif 000006
【図５】
2006259796.tif 000007
【図６】
2006259796.tif 000008
【図７】
2006259796.tif 000009
【図８】
2006259796.tif 000010
【図９】
2006259796.tif 000011